【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
入力画像データに対して前記入力画像データが有する階調数よりも小さい階調数を有する画像データに変換する量子化処理に用いられる閾値マトリクスが記憶される閾値マトリクス記憶工程と、
異常記録素子情報を取得する異常記録素子情報取得工程と、
前記取得された異常記録素子情報に基づき、異常記録素子にマスク処理を施すマスク処理工程と、
前記マスク処理がされた異常記録素子によって形成されるべき画素の処理が除外され、かつ、前記閾値マトリクスのパターンの連続性が維持されるように、記録素子と閾値との対応関係を修正する閾値マトリクス修正工程と、
前記修正された閾値マトリクスを用いて量子化処理を行う量子化処理工程と、
を含む画像処理方法。
【請求項２】
前記閾値マトリクス修正工程は、前記異常記録素子によって形成されるべき画素に対応する閾値又は画素値を、非記録となる閾値又は画素値に変更する請求項１に記載の画像処理方法。
【請求項３】
前記閾値マトリクス修正工程は、二次元配列された閾値を記録素子配列方向と直交する方向に沿う閾値の一群ごとに、前記記録素子配列方向に沿ってシフトさせる請求項１又は２に記載の画像処理方法。
【請求項４】
前記量子化処理工程は、処理対象画素の量子化処理の際に発生した誤差を、前記処理対象画素の近傍の未処理画素に拡散させる誤差拡散処理を用いて量子化処理を行い、
処理対象画素で発生した量子化処理の際に発生した誤差を前記処理対象画素の近傍の未処理画素に拡散させる規則が決められた誤差拡散マトリクスを、誤差を拡散させる対象から前記異常記録素子によって形成されるべき画素を除外するように修正する誤差拡散マトリクス修正工程を含む請求項１に記載の画像処理方法。
【請求項５】
前記異常記録素子の近傍の正常な記録素子によって形成される画素に対応する前記閾値マトリクスの閾値又は画素値を、前記異常記録素子によって打滴されるべき液体を補間するように変更する変更工程を含む請求項１から４のいずれか１項に記載の画像処理方法。
【請求項６】
前記変更工程は、異常記録素子の近傍の正常な記録素子によって形成される画素に対応する前記閾値マトリクスの閾値又は画素値を、前記異常記録素子の近傍の正常な記録素子の記録特性に基づき変更する請求項５に記載の画像処理方法。
【請求項７】
前記量子化処理工程は、一画素についてドットサイズ又はドット数により量子化処理後の画像が多階調で表現されるように量子化処理を行い、前記異常記録素子の近傍の記録素子によって形成される画素について、本来形成されるサイズ又はドット数を超えるようにドットが選択される請求項５又は６に記載の画像処理方法。
【請求項８】
前記量子化処理工程は、異常記録素子の近傍の記録素子によって形成される画素のドットサイズを変更する際に、当該画素の画素値に応じてドットサイズを選択する請求項７に記載の画像処理方法。
【請求項９】
前記量子化処理工程は、記録素子配列方向と直交する方向に沿って量子化処理を行う請求項１から８のいずれか１項に記載の画像処理方法。
【請求項１０】
入力画像データに対して前記入力画像データが有する階調数よりも小さい階調数を有す
る画像データに変換する量子化処理に用いられる閾値マトリクスが記憶される閾値マトリクス記憶手段と、
異常記録素子情報を取得する異常記録素子情報取得手段と、
前記取得された異常記録素子情報に基づき異常記録素子にマスク処理を施すマスク処理手段と、
前記マスク処理がされた記録素子によって形成されるべき画素の処理が除外され、かつ、前記閾値マトリクスのパターンの連続性が維持されるように、記録素子と閾値との対応関係を修正する閾値マトリクス修正手段と、
前記修正された閾値マトリクスを用いて量子化処理を行う量子化処理手段と、
を備えた画像処理装置。
【請求項１１】
請求項２から９のいずれか１項に記載の画像処理方法を実行する請求項１０に記載の画像処理装置。
【請求項１２】
入力画像データに対して前記入力画像データが有する階調数よりも小さい階調数を有する画像データに変換する量子化処理に用いられる閾値マトリクスが記憶される閾値マトリクス記憶手段と、
異常記録素子情報を取得する異常記録素子情報取得手段と、
前記取得された異常記録素子情報に基づき異常記録素子にマスク処理を施すマスク処理手段と、
前記マスク処理がされた記録素子によって形成されるべき画素の処理が除外され、かつ、前記閾値マトリクスのパターンの連続性が維持されるように、記録素子と閾値との対応関係を修正する閾値マトリクス修正手段と、
前記修正された閾値マトリクスを用いて量子化処理を行う量子化処理手段と、
を具備する画像処理手段と、
前記量子化処理が施された入力画像データに基づいて媒体上に画像を形成する画像形成手段と、
を備えた画像形成装置。
【請求項１３】
前記画像処理手段は、請求項２から９のいずれか１項に記載の画像処理方法を実行する請求項１２に記載の画像形成装置。
【請求項１４】
請求項１２又は１３に記載の画像形成装置を備え、
前記画像形成手段は、ノズルからインクを吐出させるインクジェットヘッドを備えたインクジェット記録装置。
【手続補正２】
【補正対象書類名】明細書
【補正対象項目名】００９１
【補正方法】変更
【補正の内容】
【００９１】
一方、dither[x][y]≧th_dth[0][level]であれば（Failure）、ステップＳ１０４に進み、ディザ値（dither[x][y]）と第２の閾値（th_dth[1][level]）との比較がされる。dither[x][y]＜th_dth[1][level]であれば（True）、dot[1][level]で指定されるドットサイズが選択され（ステップＳ１０５）、dither[x][y]≧th_dth[1][level]であれば（Failure）、ステップＳ１０６に進む。
【手続補正３】
【補正対象書類名】明細書
【補正対象項目名】０１３３
【補正方法】変更
【補正の内容】
【０１３３】
また、サーマル方式が適用されるインクジェットヘッドは、圧力室（液室）３５２の内部に収容されるインクを加熱するヒータを備え、圧力室３５２の内部のインクを瞬間的に加熱することで気泡を発生させ、ノズル３５０からインクを吐出させている。
【手続補正４】
【補正対象書類名】明細書
【補正対象項目名】０１７２
【補正方法】変更
【補正の内容】
【０１７２】
（第７態様）：量子化処理工程は、一画素についてドットサイズ又はドット数により量子化処理後の画像が多階調で表現されるように量子化処理を行い、異常記録素子の近傍の記録素子によって形成される画素について、本来形成されるサイズ又はドット数を超えるようにドットが選択される画像処理方法。
【手続補正５】
【補正対象書類名】明細書
【補正対象項目名】０１７８
【補正方法】変更
【補正の内容】
【０１７８】
（第１０態様）：入力画像データに対して入力画像データが有する階調数よりも小さい階調数を有する画像データに変換する量子化処理に用いられる閾値マトリクスが記憶される閾値マトリクス記憶手段と、異常記録素子情報を取得する異常記録素子情報取得手段と、取得された異常記録素子情報に基づき異常記録素子にマスク処理を施すマスク処理手段と、マスク処理がされた記録素子によって形成されるべき画素の処理が除外され、かつ、閾値マトリクスのパターンの連続性が維持されるように、記録素子と閾値との対応関係を修正する閾値マトリクス修正手段と、修正された閾値マトリクスを用いて量子化処理を行う量子化処理手段と、を備えた画像処理装置。
【手続補正６】
【補正対象書類名】明細書
【補正対象項目名】０１８０
【補正方法】変更
【補正の内容】
【０１８０】
（第１２態様）：入力画像データに対して入力画像データが有する階調数よりも小さい階調数を有する画像データに変換する量子化処理に用いられる閾値マトリクスが記憶される閾値マトリクス記憶手段と、異常記録素子情報を取得する異常記録素子情報取得手段と、取得された異常記録素子情報に基づき異常記録素子にマスク処理を施すマスク処理手段と、マスク処理がされた記録素子によって形成されるべき画素の処理が除外され、かつ、閾値マトリクスのパターンの連続性が維持されるように、記録素子と閾値との対応関係を修正する閾値マトリクス修正手段と、修正された閾値マトリクスを用いて量子化処理を行う量子化処理手段と、を具備する画像処理手段と、量子化処理が施された入力画像データに基づいて媒体上に画像を形成する画像形成手段と、を備えた画像形成装置。